(57)【要約】【課題】壁の外観が良く、換気材の換気孔が塞がれないようにする。【解決手段】第１外装材１７の上端に、第１換気材２１が配置されている。第１換気材２１は、笠木対向部４１と、笠木対向部４１の一端から下方に延在した前垂れ板部４２と、前垂れ板部４２の下端と同じ高さから前垂れ板部４２から遠ざかる方向に延在した下板部４３と、前垂れ板部４２の下端から下方向に延在した見切り板部４４とを有している。前垂れ板部４２には、換気孔が形成されている。下板部４３は、止水材１００を挟んで第１外装材１７の上端に対向するように配置されている。見切り板部４４は、第１外装材１７の外面に沿って配置されている。【選択図】図１
2017197961.tif 000002
【特許請求の範囲】
【請求項１】
上部に笠木が設けられる壁の外装材の内側の換気に用いられ、前記笠木の下であって前記外装材の上端に載置される換気材であり、
前記笠木に対向する笠木対向部と、
複数の換気孔が形成され、前記笠木対向部の端部から下方に延在した前垂れ板部と、
前記笠木対向部の下方において、前記前垂れ板部の下端の高さ位置から前記前垂れ板部から遠ざかる方向に延在した下板部と、
前記前垂れ板部の下端から下方向に延在した見切り板部とを有することを特徴とする換気材。
【請求項２】
前記見切り板部と前記下板部とによって形成された隅部において、前記見切り板部及び前記下板部の少なくとも一方に止水材が取り付けられていることを特徴とする請求項１に記載の換気材。
【請求項３】
前記見切り板部は、第１見切り部及び第２見切り部を有する二重構造となっており、
前記第１見切り部は前記前垂れ板部の下端から前記下方向に延在し、
前記第２見切り部は前記第１見切り部の下端から上方に折り返されて配置され、その上端が前記下板部に接続され、
前記換気孔は、前記前垂れ板部から前記第１見切り部まで延在していることを特徴とする請求項１又は２に記載の換気材。
【請求項４】
前記下板部は、前記前垂れ板部から離れるにつれて前記笠木対向部に近付くように傾斜していることを特徴とする請求項１〜３のいずれか１項に記載の換気材。
【請求項５】
壁本体と、前記壁本体の上方に配置された笠木と、前記笠木の下に配置された換気材とを備えた換気構造であり、
前記換気材は、
前記壁本体の外装材の上端に配置されているとともに、
前記笠木に対向する笠木対向部と、
複数の換気孔が形成され、前記笠木対向部の端部から下方に延在した前垂れ板部と、
前記笠木対向部の下方において、前記前垂れ板部の下端の高さ位置から前記前垂れ板部から遠ざかる方向に延在した下板部と、
前記前垂れ板部の下端から下方向に延在した見切り板部とを有しており、
前記下板部が前記外装材の上端に対向するとともに、前記見切り板部が前記外装材の外面に沿って配置されていることを特徴とする換気構造。
【請求項６】
前記笠木は、前記壁本体の上端に対向した上部と、前記上部の端部から下方に延在した側部とを有し、
前記側部は、前記外装材の上端に配置された前記換気材に対向し、
前記側部の下端は、対向する前記換気材の前記見切り板部の下端より低位置にあることを特徴とする請求項５に記載の換気構造。
【発明の詳細な説明】
【技術分野】
【０００１】
本発明は、バルコニーや屋上の外周部に立設された壁の換気構造及び換気構造に用いられる換気材に関する。
【背景技術】
【０００２】
従来より、バルコニーや屋上の外周部に立設された壁の内部を換気する換気構造が提案されている。特許文献１では、第１の外壁材と、第２の外壁材と、第１の外壁材及び第２の外壁材の上方に配置された笠木とを備えた構成において、第１の外壁材の上端及び第２の外壁材の上端にそれぞれ換気金物が配置されている。換気金物には換気孔が形成されており、換気孔を通じて、壁の外部と第１の外壁材の内側及び第２の外壁材の内側とを換気している。
【０００３】
換気金物と第１の外壁材の上端（第２の外壁材の上端）との間には、シーリング材が配置されている。シーリング材により換気金物と第１の外壁材の上端（第２の外壁材の上端）との間を密封し、第１の外壁材の内側（第２の外壁材の内側）に雨水が浸入しないようにしている。
【０００４】
特許文献１の換気金物は、笠木に対向した第１水平面と、第１水平面の一端から下方向に延在した第１垂直面と、第１垂直面の下端から水平方向に延在した第２水平面とを有している。第２水平面がシーリング材を挟んで第１の外壁材の上端（第２の外壁材の上端）に対向するように、換気金物は第１の外壁材の上端（第２の外壁材の上端）に配置される。また、換気金物及びシーリング材を第１の外壁材（第２の外壁材）の外面の延長面又はそれより内側に配置することで、壁の外面が平面状であるようにしている。
【先行技術文献】
【特許文献】
【０００５】
【特許文献１】特開２０１５−１８３４９１号公報
【発明の概要】
【発明が解決しようとする課題】
【０００６】
しかし、従来の換気金物を取付ける際、塗布されたシーリング材は換気金物で押圧され、シーリング材の一部が第１の外壁材（第２の外壁材）の外面の延長面より外側にでて、壁の外観が良くないものとなる。また、外側にでたシーリング材が換気金物の換気孔を塞ぐことにより、壁内外の換気が妨げられる。
【０００７】
そこで、本発明は、壁の外観が良く且つシーリング材が換気孔を塞ぐおそれがない換気材及び換気構造を提供することを目的とする。
【課題を解決するための手段】
【０００８】
本発明は、上部に笠木が設けられる壁の外装材の内側の換気に用いられ、前記笠木の下であって前記外装材の上端に載置される換気材であり、前記笠木に対向する笠木対向部と、複数の換気孔が形成され、前記笠木対向部の端部から下方に延在した前垂れ板部と、前記笠木対向部の下方において、前記前垂れ板部の下端の高さ位置から前記前垂れ板部から遠ざかる方向に延在した下板部と、前記前垂れ板部の下端から下方向に延在した見切り板部とを有している。
【０００９】
上記構成では、下板部が外装材の上端に対向するように換気材を、シーリング材を介して外装材の上端に配置した場合であっても、見切り板部が外装材の外面に沿って配置され、見切り板部によりシーリング材が隠れる。また、シーリング材が見切り板部によって外装材の外面の延長面より外側にでることを抑止できる。これにより壁の外観が好ましいものとなる。また、下板部及び見切り板部によってシーリング材が換気孔周辺に流れないため、換気孔が塞がることを抑止できる。
【００１０】
また、上記構成において、前記見切り板部と前記下板部とによって形成された隅部において、前記見切り板部及び前記下板部の少なくとも一方に止水材が取り付けられていることが好ましい。
【００１１】
上記構成では、換気材に予め止水材が取り付けられているため、換気材を外装材の上端に取り付ける際にシーリング材を用いる必要がなく、換気材を用いた換気構造を組み立てる作業を簡素化できて施工性を向上でき、しかも仕上がり（外観）、換気性能を低下させることがない。
【００１２】
また、上記構成において、前記見切り板部は、第１見切り部及び第２見切り部を有する二重構造となっており、前記第１見切り部は前記前垂れ板部の下端から下方向に延在し、前記第２見切り部は前記第１見切り部の下端から上方に折り返されて配置され、その上端が前記下板部に接続され、前記換気孔は、前記前垂れ板部から前記第１見切り部まで延在していることが好ましい。
【００１３】
上記構成では、換気孔が前垂れ板部から第１見切り部まで延在しているため、換気材内に存在する雨水等が換気孔から排出されやすい。
【００１４】
また、上記構成において、前記下板部は、前記前垂れ板部から離れるにつれて前記笠木対向部に近付くように傾斜していることが好ましい。
【００１５】
下板部が上記のように傾斜していると、換気孔から吹き込んだ雨水等が外装材の内側に入り込むことを抑制でき、換気孔から雨水が吹き込んだとしても、その傾斜によって雨水を換気孔に向かって案内できて排出しやすい。また、下板部が傾斜していることによって、外装材の上端面との間に空間を形成しやすく、外装材の上端にシーリング材を用いて止水する場合にはシーリング材の収容空間を形成でき、予め取り付けられた止水材により止水する場合には止水材が必要以上に押し潰されて破損したり、止水材の耐久性を低下させることを防止できる。
【００１６】
本発明の換気構造は、壁本体と、前記壁本体の上方に配置された笠木と、前記笠木の下に配置された換気材とを備えた換気構造であり、前記換気材は、前記壁本体の外装材の上端に配置されているとともに、前記笠木に対向する笠木対向部と、複数の換気孔が形成され、前記笠木対向部の端部から下方に延在した前垂れ板部と、前記笠木対向部の下方において、前記前垂れ板部の下端の高さ位置から前記前垂れ板部から遠ざかる方向に延在した下板部と、前記前垂れ板部の下端から下方向に延在した見切り板部とを有しており、前記下板部が前記外装材の上端に対向するとともに、前記見切り板部が前記外装材の外面に沿って配置されている。
【００１７】
上記構成では、下板部が外装材の上端に対向するように換気材を、シーリング材を介して外装材の上端に配置した場合であっても、見切り板部が外装材の外面に沿って配置され、見切り板部によりシーリング材が隠れる。また、シーリング材が見切り板によって外装材の外面の延長面より外側にでることを抑止できる。これにより壁の外観が好ましいものとなる。また、下板部及び見切り板部によってシーリング材が換気孔周辺に流れないため、換気孔が塞がることを抑止できる。
【００１８】
また、前記笠木は、前記壁本体の上端に対向した上部と、前記上部の端部から下方に延在した側部とを有し、前記側部は、前記外装材の上端に配置された前記換気材に対向し、前記側部の下端は、対向する前記換気材の前記見切り板部の下端より低位置にあることが好ましい。
【００１９】
上記構成では、笠木により換気材全体が覆われるため、笠木により換気材と外装材との間、或いは換気孔から壁本体内部に雨水等が浸入することを抑止できるとともに、外部から換気材を視認し難くできて美観を向上させることができる。
【発明の効果】
【００２０】
本発明によると、前垂れ板部の下端から見切り板部を延在させることで、見切り板部により換気材の取り付けにシーリング材を用いる場合であっても、シーリング材がはみ出したりして外観を損ねることがない。また、下板部及び見切り板部によりはみ出したシーリング材で換気孔が塞がれる心配がない。
【図面の簡単な説明】
【００２１】
【図１】第１実施形態に係る壁（換気構造）の上部断面の説明図である。
【図２】（ａ）は換気材の断面図であり、（ｂ）は換気材の一部拡大断面図であり、（ｃ）は換気材の正面図である。
【発明を実施するための形態】
【００２２】
以下、本発明の好適な実施形態について、図面を参照しつつ説明する。ここでは、本発明の実施形態である笠木下換気材を用いた換気構造について、図１及び図２を参照しつつ以下に説明する。
【００２３】
図１には、バルコニー等の外周部に立設された壁１の上部の断面図を示している。壁１は、壁本体２と、壁本体２の上方に配置された笠木３とを備えている。笠木３は、壁本体２の上端部を覆っている。
【００２４】
壁本体２には、中空部１０が形成されている。中空部１０は、互いに対向して配置された第１合板１１及び第２合板１２と、２つの合板（１１,１２）間の上端部に配置された横胴縁１３とによって囲まれた領域である。
【００２５】
第１合板１１の外面には、第１透湿防水シート１４が配置されている。また、第２合板１２の外面には、第２透湿防水シート１５が配置されている。
【００２６】
第１透湿防水シート１４の外側には、第１銅縁１６を介して第１外装材１７が配置されている。第１外装材１７の上端には、第１換気材２１が配置されている。第１銅縁１６は、壁１の長手方向に所定の間隔で配置されている。隣り合う２つの第１銅縁１６の間の空間が、第１通気路Ａ1となっている。図１では、第１通気路Ａ1がみえており、第１通気路Ａ1の奥に第１銅縁１６が配置されている。
【００２７】
第２透湿防水シート１５の外側には、第２銅縁１８を介して第２外装材１９が配置されている。第２外装材１９の上端には、第２換気材２２が配置されている。第２銅縁１８は、壁１の長手方向に所定の間隔で配置されている。隣り合う２つの第２銅縁１８の間の空間が、第２通気路Ａ2となっている。図１では、第２通気路Ａ2がみえており、第２通気路Ａ2の奥に第２銅縁１８が配置されている。
【００２８】
笠木３は、壁本体２の上端面に対向するように配置された上部３１と、図１中の上部３１の左端から下方向に延在した第１側部３２と、図１中の上部３１の右端から下方向に延在した第２側部３３とを有している。第１側部３２は、第１換気材２１に対向している。第２側部３３は、第２換気材２２に対向している。なお、笠木３は、横胴縁１３上にネジ止めされた笠木取付部材を介して壁本体２上に取り付けられている。
【００２９】
次に、第１換気材２１の構成について、図２（ａ）〜図２（ｃ）を参照しつつ詳細に説明する。第１換気材２１と第２換気材２２とは同じ構成であり、図１において壁１は左右対称の構成であるため、以下では第２換気材２２及び第２換気材２２の周辺の構成について説明を省略することがある。図２（ｂ）は図２（ｃ）のIIB-IIB線に沿った断面の一部拡大図である。
【００３０】
図２（ａ）に示すように、第１換気材２１は、一枚の矩形帯状の金属板を複数箇所で折り曲げて形成されている。第１換気材２１は、図２（ａ）中の左右方向に延在した笠木対向部４１と、笠木対向部４１の左端から下方向に延在した前垂れ板部４２と、前垂れ板部４２の下端と同じ高さから前垂れ板部４２から遠ざかる方向に延在した下板部４３と、前垂れ板部４２の下端から下方向に延在した見切り板部４４とを有している。
【００３１】
笠木対向部４１は、水平方向に延びる板状の第１延在部５１とその右端で折り返され下方に重ねられる板状の第２延在部５２とを有している。第１延在部５１及び第２延在部５２は左右方向に延在し、右端同士で接続されている。第１延在部５１の左端からは、前垂れ板部４２が下方向に延在している。第２延在部５２は第１延在部５１より短く、第１延在部５１の左端の手前まで延在している。第２延在部５２の左端からは、下方向に第１遮蔽部６１が突出している。なお、笠木対向部４１は、その右寄りの部分で横胴縁１３に釘止めされる（図１参照）。
【００３２】
下板部４３は、図２（ａ）に示すように、見切り板部４４を介して前垂れ板部４２に接続している。下板部４３は、笠木対向部４１の下方に対向し通気路を形成するように第１遮蔽部６１よりも右寄りに延出して配置され、前垂れ板部４２から離れるにつれて笠木対向部４１に近付くように傾斜している。下板部４３の右端からは、笠木対向部４１に向かって上方向に第２遮蔽部６２が突出し、内部に雨水等が浸入するのを防止している。
【００３３】
見切り板部４４は、前垂れ板部４２の下端から連続的に下方に延び、前垂れ板部４２とによって１つの平面を形成する第１見切り部７１、及び第１見切り部７１の下端で上方に折り返されて重ねられた第２見切り部７２を有している。第１見切り部７１及び第２見切り部７２は、図２（ａ）中の左右方向に対向し、下端同士で接続されている。第２見切り部７２の上端には、下板部４３が右方向に延出するように接続されている。
【００３４】
第１見切り部７１は、図２（ａ）に示すように、前垂れ板部４２の下端から下方向に延在している。第２見切り部７２の上端は、下板部４３の左端に接続されている。
【００３５】
図２（ｂ）及び図２（ｃ）に示すように、前垂れ板部４２には複数の換気孔８１が形成されている。換気孔８１は、前垂れ板部４２の上部から第１見切り部７１の上端部まで延在した上下方向に細長い孔である。換気孔８１は、図２（ｃ）に示すように、第１換気材２１の長手方向に所定の間隔で配置されている。
【００３６】
換気孔８１は、図２（ｂ）及び図２（ｃ）に示すように、前垂れ板部４２に形成された上孔部８２と、第１見切り部７１に形成された下孔部８３とを有している。第２見切り部７２には換気孔８１が形成されていないため、換気材の正面視において（図２(ｃ)参照）、下孔部８３は第２見切り部７２により塞がれているようにみえる。
【００３７】
図２（ａ）に示すように、下板部４３を傾斜させており、またその右端に第２遮蔽部６２を設けているので、図２（ｂ）に示す換気孔８１の上孔部８２から雨水等が浸入したとしても、雨水等が第１通気路Ａ1内に浸入するのを防止でき（図１参照）、雨水等は下板部４３の傾斜面に沿って換気孔８１に向かって流れ戻り換気孔８１から排出される（図２(ｂ)参照）。さらに下孔部８３を設けているので、浸入した雨水等をより確実に排出することができ、第１換気材２１の内部（通気路内）に水分が残りにくくできる。
【００３８】
第１換気材２１には、下板部４３と第２見切り部７２とによって隅部Ｃが形成されている（図２(ｂ)参照）。隅部Ｃにおいて、下板部４３の下面には止水材１００が取り付けられている。止水材１００は第１換気材２１の長手方向に延在している。止水材１００は、例えばエチレンプロピレンジエンゴム（ＥＰＤＭ）によって形成されている。また、止水材１００には、他のゴム状の部材や発砲体の他、公知の止水パッキン材料等を広く使用することができる。
【００３９】
第１換気材２１は、図１に示すように、下板部４３が止水材１００を介して第１外装材１７の上端に載置されるように、且つ、第２見切り部７２が第１外装材１７の外面に沿うように、第１外装材１７の上に配置される。笠木対向部４１は笠木の上部３１に対向するように配置され、横胴縁１３にネジ止めされている。第２換気材２２は、同様に第２外装材１９の上端に配置されている。
【００４０】
これにより、第１換気材２１の見切り板部４４（第２見切り部７２）が第１外装材１７の外面にほぼ隣接する。また、第２換気材２２の見切り板部４４が第２外装材１９の外面にほぼ隣接する。これにより壁本体２に第１換気材２１と第２換気材２２とを配置したとしても、壁本体２の幅が実質的に拡がることはなく、これらの上端部を覆う笠木３の幅サイズを壁本体２の幅に対して特別広いものを用いる必要はない。
【００４１】
下板部４３と第１外装材１７の上端との間は止水材１００により密封されるため、これらの間から壁本体２の内側に雨水、湿気等が浸入しない。なお、止水材１００は第１換気材２１の下板部４３により押圧され、図１中の上下方向に所定寸法以上圧縮されることで止水効果を発する。
【００４２】
なお、見切り板部４４（第２見切り部７２）と第１外装材１７の外面との間に隙間が形成されているときは、止水材１００の一部が第１外装材１７の外面の延長面より外側にはみ出ていたとしても、壁１の正面視において、見切り板部４４によって止水材１００が隠れてみえない。
【００４３】
また、笠木３の第１側部３２が第１換気材２１の見切り板部４４の下端より低い高さまで延在しているため、雨水が第１換気材２１の換気孔８１（図２(ｂ)参照）、或いは第１換気材２１と第１外装材１７との間（図１参照）から浸入しにくい。また、笠木３の第２側部３３も第２換気材２２の見切り板部４４の下端より低い高さまで延在しているため、雨水が換気孔８１（図２(ｂ)参照）、或いは第２換気材２２と第２外装材１９との間（図１参照）から浸入しにくい。
【００４４】
第１換気材２１には、笠木対向部４１と下板部４３との間に通気路が形成されている。通気路は、第１遮蔽部６１及び第２遮蔽部６２により蛇行している。これにより、図２（ｂ）に示す換気孔８１から雨水等が第１換気材２１内に浸入したとしても、雨水等は第１遮蔽部６１及び第２遮蔽部６２に衝突し、第１外装材１７の内側にある第１通気路Ａ1へ浸入することを防止できる。一方、換気孔８１から浸入した外気は、第１換気材２１内の通気路を通って、第１外装材１７の内側にある第１通気路Ａ1へ流れ、壁１の外部と第１外装材１７の内側との換気が行われる。
【００４５】
以上のように、本実施形態によると以下の効果を奏する。
下板部４３が第１外装材１７の上端に対向するように第１換気材２１を第１外装材１７の上端に配置すると、見切り板部４４によって第１外装材１７の上端縁を隠すことができるので、第１外装材１７の上端縁に不陸が生じていたとしても、壁１の外観を損ねることがない。また、第１外装材１７の外面に沿って配置された止水材１００も見切り板部４４によって見えることがないので、壁１の外観を損ねることがない。さらに、止水材１００が第１換気材２１に押圧されることで第１外装材１７の外面の延長面より外側にはみ出たとしても、見切り板部４４により止水材１００が隠れるので、壁１の外観が好ましい。また、下板材４３及び見切り板部４４によって止水材１００が換気孔８１周辺にはみ出すことがないので、換気孔８１が止水材１００で塞がることを抑止できる。
【００４６】
また、第１換気材２１に予め止水材１００を取り付けておくことで、図１に示す換気構造を組み立てる際、第１外装材１７の上端にシーリング材（コーキング材）を配置する作業を省略できる。したがって、施工性を向上することができる。
【００４７】
また、換気孔８１が前垂れ板部４２から第１見切り部７１まで延在しているため、第１換気材２１の内部に浸入した雨水等が換気孔８１から排出されやすい。一方、第１見切り部７１に対向した第２見切り部７２には換気孔８１が形成されていないため、第１見切り部７１に形成された下孔部８３から雨水等が第１換気材２１の内部に入ることを抑止できる。
【００４８】
また、下板部４３が前垂れ板部４２から離れるにつれて笠木対向部４１に近付くように傾斜しているため、第１換気材２１の内部に入った雨水等を下板部４３の傾斜を利用して換気孔８１に向かって導出しやすい（図２(ｂ)参照）。したがって第１換気材２１内の雨水等が外部に排出されやすい。
【００４９】
また、笠木３の上部３１と第１側部３２と第２側部３３とにより、第１換気材２１及び第２換気材２２が覆われるため、第１換気材２１と第１外装材１７との間、また、第２換気材２２と第２外装材１９との間から壁本体２の内部に雨水等が浸入することを抑止できる。
【００５０】
以上、本発明の実施形態について図面に基づいて説明したが、具体的な構成は、これらの実施形態に限定されるものでないと考えられるべきである。本発明の範囲は上記した説明ではなく特許請求の範囲によって示され、特許請求の範囲と均等の意味及び範囲内でのすべての変更が含まれる。
【００５１】
例えば、上述の実施形態では、第１換気材２１の下板部４３と見切り板部４４との隅部Ｃにおいて下板部４３に止水材１００が取り付けられているが、止水材１００の取り付け位置は変更可能である。例えば、止水材１００が見切り板部４４に取り付けられていてもよい。また、止水材１００が下板部４３及び見切り板部４４の両方に取り付けられていてもよい。
【００５２】
また、第１換気材２１に止水材１００が取り付けられていなくてもよい。この場合、第１外装材１７と第１換気材２１との間に止水材としてコーキング材（シーリング材）等を配置することが好ましい。また、第２換気材２２についても同様に、止水材１００が取り付けられていなくてもよい。この場合、第２外装材１９と第２換気材２２との間にコーキング材等を配置することが好ましい。
【００５３】
さらに、上述の実施形態では、前垂れ板部４２に形成された換気孔８１が第１見切り部７１まで延在しているが、換気孔８１は第１見切り部７１まで延在していなくてもよい。
【００５４】
また、上述の実施形態では、第１換気材２１及び第２換気材２２を一枚の金属板を折り曲げて形成したために、見切り板部４４が、第１見切り部７１と第２見切り部７２との２つの部材から（２重に）なっているが、樹脂成型により見切り板部４４を一つの部材から形成するようにしてもよい。この場合、例えば、前垂れ板部と見切り板部とが連続し、これらの境界部分から下板部が延在している構成となる。
【００５５】
また、上述の実施形態では、下板部４３が前垂れ板部４２から離れるにつれて笠木対向部４１に近付くように傾斜しているが、下板部４３が傾斜せず水平方向に延在していてもよい。
【符号の説明】
【００５６】
１                壁
２                壁本体
３                笠木
１０              中空部
１１              第１合板
１２              第２合板
１３              横胴縁
１４              第１透湿防水シート
１５              第２透湿防水シート
１６              第１銅縁
１７              第１外装材
１８              第２銅縁
１９              第２外装材
２１              第１換気材
２２              第２換気材
３１              上部
３２              第１側部
３３              第２側部
４１              笠木対向部
４２              前垂れ板部
４３              下板部
４４              見切り板部
５１              第１延在部
５２              第２延在部
６１              第１遮蔽部
６２              第２遮蔽部
７１              第１見切り部
７２              第２見切り部
８１              換気孔
８２              上孔部
８３              下孔部
１００            止水材
Ａ1               第１通気路
Ａ2               第２通気路
Ｃ                隅部
【図１】
2017197961.tif 000003
【図２】
2017197961.tif 000004